(57)【要約】【課題】  輝度ムラを改善する。【解決手段】  各色セレクタ２３０は、基準電圧Vref0〜Vref1023の中から制御データＣＴＬに応じて基準電圧の組ＶｒｅｆＲ、ＶｒｅｆＧ、ＶｒｅｆＢを選択して、各配線群Ｌｒ、Ｌｇ、Ｌｂに各々供給する。Ｒ用のＤＡ変換器ＤＡＣｒ１は階調データｄｒ１に基づいて配線群Ｌｒを介して供給される基準電圧の組ＶｒｅｆＲの中から一つを選択して、これを階調信号Ｘｒ１としてデータ線に出力する。また、Ｇ用・Ｂ用のＤＡ変換器ＤＡＣｇ１、ＤＡＣｂ１は、基準電圧の組ＶｒｅｆＧ、ＶｒｅｆＢを用いてＤＡ変換を実行する。【選択図】      図３
2005338158.tif 000002
【特許請求の範囲】
【請求項１】
各色ごとの画像データをアナログ信号に変換するＤＡ変換装置において、
複数の基準電圧を生成する基準電圧生成手段と、
前記複数の基準電圧の中から各色ごとに基準電圧の組を選択して複数の配線群に各々出力する基準電圧選択手段と、
複数の色の各々に対応して設けられ、前記複数の配線群の一つと接続され、前記画像データに基づいて前記基準電圧の組の中から一つの基準電圧を選択して電圧信号として出力する複数の選択手段と、
を備えるＤＡ変換装置。
【請求項２】
各色のデータが時分割多重された画像データをアナログ信号に変換するＤＡ変換装置において、
複数の基準電圧を生成する基準電圧生成手段と、
前記時分割多重のタイミングと同期して前記複数の基準電圧の中から各色ごとの基準電圧の組を選択して配線群に出力する基準電圧選択手段と、
前記画像データに基づいて、前記配線群から供給される前記基準電圧の組の中から一つの基準電圧を選択して電圧信号として出力する選択手段と、
を備えるＤＡ変換装置。
【請求項３】
前記基準電圧生成手段は、折れ線特性を示すように前記複数の基準電圧を生成することを特徴とする請求項１または２記載のＤＡ変換装置。
【請求項４】
前記基準電圧生成手段は、複数の抵抗器を備え、前記複数の抵抗器の接続点のうち前記折れ線特性の折れ点に対応する複数の接続点の各々に異なる定電圧を供給することを特徴とする請求項１または２に記載のＤＡ変換装置。
【請求項５】
前記複数の基準電圧の中から選択する各色ごとの前記基準電圧の組を指定する制御データを生成する制御手段を備え、
前記基準電圧選択手段は、前記制御データに応じて前記複数の基準電圧の中から各色ごとの前記基準電圧の組を選択する
ことを特徴とする請求項１乃至４のうちいずれか１項に記載のＤＡ変換装置。
【請求項６】
前記制御手段は、ガンマ特性を持たせるように前記制御データを生成することを特徴とする請求項５に記載のＤＡ変換装置。
【請求項７】
前記制御手段は、前記画像データの表示に関する条件を指定する条件データと前記制御データを対応付けて記憶する記憶手段を備え、前記条件データに基づいて前記記憶手段から対応する前記制御データを読み出して、前記基準電圧選択手段に供給することを特徴とする請求項５に記載のＤＡ変換装置。
【請求項８】
前記制御手段は、前記画像データの表示に関する条件を指定する条件データに基づいて演算処理を実行して前記制御データを生成し、前記基準電圧選択手段に供給することを特徴とする請求項５に記載のＤＡ変換装置。
【請求項９】
複数のデータ線と、
複数の走査線と、
前記走査線と前記データ線の交差に対応して設けられ、電気光学素子を含む画素回路と、
画像データの示す階調に応じた階調信号を前記複数のデータ線に供給するデータ線駆動回路とを備え、
前記データ線駆動回路に請求項１乃至８のうちいずれか１項に記載のＤＡ変換装置を用いることを特徴とする電気光学装置。
【請求項１０】
請求項９に記載の電気光学装置を備えたことを特徴とする電子機器。
【発明の詳細な説明】
【技術分野】
【０００１】
本発明は、ＤＡ変換装置、電気光学装置及び電子機器に関する。
【背景技術】
【０００２】
カラー表示装置として、色フィルタを用いた液晶表示装置が知られている。液晶表示装置は、液晶の印加電圧を制御することによって、液晶の透過率を調整して階調を表示する。このような液晶表示装置は、複数の走査線と、複数のデータ線と、走査線とデータ線の交差に対応して画素電極が配置され、画素電極と対向電極との間に液晶が挟持されている。そして、データ線に表示すべき階調に応じた電圧信号を供給して、液晶容量に電圧を書き込む。
【０００３】
データ線に電圧信号を供給するデータ線駆動回路には、各データ線に対応した複数のセレクタと、これらのセレクタに複数の基準電圧を供給する基準電圧生成回路を有するものがある。このデータ線駆動回路において、各セレクタは画像データに応じた基準電圧を選択し、これらを電圧信号として複数のデータ線に各々供給する。この場合、セレクタに供給される複数の基準電圧はＲＧＢ各色で共通である。液晶は印加電圧に応じて透過率が変化するだけで、色は色フィルタによって与えられるからでる。
また、ＲＧＢ各色に共通の基準電圧に対して、各色ごとに補正電圧を加算して、ＲＧＢ個別の電圧信号を生成する技術が知られている（例えば、特許文献１）。
【０００４】
【特許文献１】特開２００１−３４３９４０号公報
【発明の開示】
【発明が解決しようとする課題】
【０００５】
ところで、液晶表示装置に替わる画像表示装置として、有機発光ダイオード素子（以下、ＯＬＥＤ素子と称する。）を備えた装置が注目されている。ＯＬＥＤ（Organic Light Emitting Diode）素子は、光の透過量を変化させる液晶素子とは異なり、それ自体が発光する電流駆動型の自発光素子である。
ＯＬＥＤ素子を用いたアクティブマトリクス駆動の電気光学装置では、ＯＬＥＤ素子に対して、発光階調を調整するための画素回路が設けられる。各画素回路における発光階調の設定は、発光階調に応じた電圧値または電流値を画素回路に供給し、ＯＬＥＤ素子に流れる駆動電流を調整することによって実行される。ＯＬＥＤ素子は自発光素子であるため、ＲＧＢ各色ごとに発光特性が相違する。従って、データ線に供給する電圧信号または電流信号は、ＲＧＢ各色ごとに異なる。
【０００６】
従って、ＯＬＥＤ素子を用いたアクティブマトリクス駆動の電気光学装置では、各色ごとにＤＡ変換特性を変更する必要があるため、液晶表示装置のデータ線駆動回路をそのまま流用することはできない。また、特許文献１に記載されている技術では、ＯＬＥＤ素子のようにＲＧＢの色ごとに電圧が大きく異なる場合には、対応することができないといった問題があった。
【０００７】
本発明は上述した問題に鑑みてなされたものであり、各色ごとに異なるＤＡ変換特性を持たせたＤＡ変換装置、電気光学装置及び電子機器を提供することを解決課題とする。
【課題を解決するための手段】
【０００８】
上述した課題を解決するため、本発明に係るＤＡ変換装置は、各色ごとの画像データをアナログ信号に変換するものであって、複数の基準電圧を生成する基準電圧生成手段と、前記複数の基準電圧の中から各色ごとに基準電圧の組を選択して複数の配線群に各々出力する基準電圧選択手段と、複数の色の各々に対応して設けられ、前記複数の配線群の一つと接続され、前記画像データに基づいて前記基準電圧の組の中から一つの基準電圧を選択して電圧信号として出力する複数の選択手段と、を備える。
この発明によれば、複数の基準電圧の中からＤＡ変換の基準となる基準電圧の組を選択することができるので、ＤＡ変換の精度を向上させることができる。また、各色ごとに異なるＤＡ変換特性を持たせることができ、しかもＤＡ変換の基準となる基準電圧を生成する基準電圧生成回路を複数の色で兼用することができる。
【０００９】
本発明に係る他のＤＡ変換装置は、各色のデータが時分割多重された画像データをアナログ信号に変換するものであって、複数の基準電圧を生成する基準電圧生成手段と、前記時分割多重のタイミングと同期して前記複数の基準電圧の中から各色ごとの基準電圧の組を選択して配線群に出力する基準電圧選択手段と、前記画像データに基づいて、前記配線群から供給される前記基準電圧の組の中から一つの基準電圧を選択して電圧信号として出力する選択手段と、を備える。
この発明によれば、各色のデータが時分割多重された画像データを元のデータに復元することなくＤＡ変換することができ、しかも、各色ごとに異なるＤＡ変換特性を付与することができる。さらに、配線群を各色ごとに設ける必要がないので、構成を簡易にできる。
【００１０】
ここで、前記基準電圧生成手段は、折れ線特性を示すように前記複数の基準電圧を生成することが好ましい。この場合は、ＤＡ変換特性に非リニアな特性を持たせることが可能となる。より具体的には、前記基準電圧生成手段は、複数の抵抗器を備え、前記複数の抵抗器の接続点のうち前記折れ線特性の折れ点に対応する複数の接続点の各々に異なる定電圧を供給することが好ましい。この場合、抵抗器の抵抗値は同一であってもよいし、異なっていてもよい。
【００１１】
また、上述したＤＡ変換器は、前記複数の基準電圧の中から選択する各色ごとの前記基準電圧の組を指定する制御データを生成する制御手段を備え、前記基準電圧選択手段は、前記制御データに応じて前記複数の基準電圧の中から各色ごとの前記基準電圧の組を選択することが望ましい。この発明によれば、制御データによって、各色のＤＡ変換の基準となる基準電圧の組を変更することが可能となる。この結果、各種の駆動条件に応じてＤＡ変換特性を調整することができる。
【００１２】
例えば、前記制御手段は、ガンマ特性を持たせるように前記制御データを生成してもよい。あるいは、ピーク輝度に応じて制御データを可変してもよい。さらに、ＤＡ変換装置を電気光学装置に適用する場合には、電気光学装置の画素回路に供給する電源電圧に応じて制御データを可変してもよい。
【００１３】
また、上述したＤＡ変換器において、前記制御手段は、前記画像データの表示に関する条件を指定する条件データと前記制御データを対応付けて記憶する記憶手段を備え、前記条件データに基づいて前記記憶手段から対応する前記制御データを読み出して、前記基準電圧選択手段に供給することが好ましい。この場合には、記憶手段を参照するだけで制御データを生成することができるので、制御手段の処理負荷を軽減することができる。さらに、前記制御手段は、前記画像データの表示に関する条件を指定する条件データに基づいて演算処理を実行して前記制御データを生成し、前記基準電圧選択手段に供給してもよい。この場合は、演算処理によって制御データを生成するので、条件データと関連付けて制御データを記憶する必要がない。また、これらの場合、一度、生成した制御データを不揮発性の記憶手段に記憶して、記憶された制御データを用いて基準電圧生成手段を制御してもよい。この場合、常時、制御データを生成する必要がないので、制御手段の処理負荷を軽減することができる。
【００１４】
次に、本発明に係る電気光学装置は、複数のデータ線と、複数の走査線と、前記走査線と前記データ線の交差に対応して設けられ、電気光学素子を含む画素回路と、画像データの示す階調に応じた階調信号を前記複数のデータ線に供給するデータ線駆動回路とを備え、前記データ線駆動回路に上述したＤＡ変換装置を用いることを特徴とする。この発明によれば、データ線駆動回路の構成を簡易にできる。また、各色ごとに異なる表示特性を持たせることも可能となる。ここで、電気光学素子とは、電気的な作用によって光学特性が変化する素子の意味であり、注入電流によって発光量が変化するＯＬＥＤ素子の他、印加電圧によって透過率が変化する液晶素子が含まれ得る。
【００１５】
次に、本発明に係る電子機器は、上述した電気光学装置を備えることが好ましい。この電子機器としては、例えばパーソナルコンピュータ、携帯電話機、及び情報携帯端末等が含まれる。
【発明を実施するための最良の形態】
【００１６】
＜１．第１実施形態＞
図１は、本発明の第１実施形態に係る電気光学装置の概略構成を示すブロック図である。電気光学装置１は、電気光学パネルＡＡと外部回路を備える。電気光学パネルＡＡには、画素領域Ａ、走査線駆動回路１００、およびデータ線駆動回路２００が形成される。このうち、画素領域Ａには、Ｘ方向と平行にｍ本の走査線１０１が形成される。また、Ｘ方向と直交するＹ方向と平行に３ｎ本のデータ線１０３が形成される。そして、走査線１０１とデータ線１０３との各交差に対応して画素回路４００が各々設けられている。画素回路４００はＯＬＥＤ素子を含んでいる。図に示す「Ｒ」、「Ｇ」、及び「Ｂ」の符号は、ＯＬＥＤ素子の発光色を示している。この例にあっては、データ線１０３に沿って各色の画素回路４００が配列されている。
【００１７】
また、各画素回路４００のうち、Ｒ色に対応する画素回路４００は電源線ＬＲと接続されており、Ｇ色に対応する画素回路４００は電源線ＬＧと接続されており、Ｂ色に対応する画素回路４００は電源線ＬＢに接続されている。電源回路６００は、電源電圧Ｖｄｄｒ、Ｖｄｄｇ、及びＶｄｄｂを生成する。電源電圧Ｖｄｄｒ、Ｖｄｄｇ、及びＶｄｄｂは、電源線ＬＲ、ＬＧ及びＬＢを介して、ＲＧＢ各色に対応する画素回路４００に供給される。
【００１８】
走査線駆動回路１００は、複数の走査線１０１を順次選択するための走査信号Ｙ１、Ｙ２、Ｙ３、…、Ｙｍを生成して、各画素回路４００に各々供給する。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号ＹｉがＨレベルになると、当該走査線１０１が選択されたことを示す。
【００１９】
データ線駆動回路２００は、選択された走査線１０１に位置する画素回路４００の各々に対し階調信号Ｘｒ１、Ｘｇ１、Ｘｂ１、Ｘｒ２、Ｘｇ２、Ｘｂ２、…、Ｘｒｎ、Ｘｇｎ、Ｘｂｎを供給する。この例において、階調信号Ｘｒ１〜Ｘｂｎは階調輝度を指示する電圧信号として与えられる。なお、以下の説明において、添え字の「ｒ」はＲ色に、「ｇ」はＧ色に、「ｂ」はＢ色に対応することを各々示す。
【００２０】
制御回路３００は、各種の制御信号を生成してこれらを走査線駆動回路１００及びデータ線駆動回路２００へ出力する。このうち制御データＣＴＬは、後述するデータ線駆動回路２００の各色セレクタ２３０において、選択する基準電圧の組を指定する。また、制御回路３００は、１０ビットの階調データＤｏｕｔをデータ線駆動回路２００へ出力する。なお、この例では、制御回路３００および電源回路６００を、電気光学パネルＡＡの外部に設けたが、これらの構成要素の一部又は全部を電気光学パネルＡＡに取り込んでもよい。更に、電気光学パネルＡＡに設けられた構成要素の一部を外部回路として設けてもよい。
【００２１】
次に、画素回路４００について説明する。図２に、画素回路４００の回路図を示す。同図に示す画素回路４００は、ｉ行目のＲ色に対応するものであり、電源電圧Ｖｄｄｒが供給される。他の色に対応する画素回路４００は、電源電圧Ｖｄｄｒの替わりに電源電圧Ｖｄｄｇ（Ｇ色）又は電源電圧Ｖｄｄｂ（Ｂ色）が供給される点を除いて、同様に構成されている。画素回路４００は、２個の薄膜トランジスタ（Thin Film Transistor、以下「ＴＦＴ」と省略する）４０１及び４０２と、容量素子４１０と、ＯＬＥＤ素子４２０とを備える。このうち、ｐチャネル型のＴＦＴ４０１のソース電極は電源線ＬＲに接続される一方、そのドレイン電極はＯＬＥＤ素子４２０の陽極に接続される。また、ＴＦＴ４０１のソース電極とゲート電極との間には、容量素子４１０が設けられている。ＴＦＴ４０２のゲート電極は走査線１０１に接続され、そのソース電極は、データ線１０３に接続され、そのドレイン電極はＴＦＴ４０１のゲート電極と接続される。
【００２２】
このような構成において、走査信号ＹｉがＨレベルになると、ｎチャネル型ＴＦＴ４０２がオン状態となるので、接続点Ｚの電圧が電圧Ｖdataと等しくなる。このとき、容量素子４１０にはＶｄｄｒ−Ｖdataに相当する電荷が蓄積される。次に、走査信号ＹｉがＬレベルになると、ＴＦＴ４０２はオフ状態となる。ＴＦＴ４０１のゲート電極における入力インピーダンスは極めて高いので、容量素子４１０における電荷の蓄積状態は変化しない。ＴＦＴ４０１のゲート・ソース間電圧は、電圧Ｖdataが印加されたときの電圧（Ｖｄｄｒ−Ｖdata）に保持される。ＯＬＥＤ素子４２０に流れる電流Ｉoledは、ＴＦＴ４０１のゲート・ソース間電圧によって定まるので、電圧Ｖdataに応じた電流Ｉoledが流れる。
【００２３】
図３に、データ線駆動回路２００の詳細な構成を示す。図３に示すようにデータ線駆動回路２００は、シリアルパラレル変換回路２１０、基準電圧生成回路２２０、各色セレクタ２３０、および３ｎ本のデータ線１０３に対応したＤＡ変換器ＤＡＣｒ１、ＤＡＣｇ１、ＤＡＣｂ１、…、ＤＡＣｒｎ、ＤＡＣｇｎ、およびＤＡＣｂｎを備える。
【００２４】
シリアルパラレル変換回路２１０は、シフトレジスタ及びラッチ回路を備える。シフトレジスタは、Ｘ転送開始パルスＤＸをＸクロック信号ＸＣＬＫに同期して順次転送して、点順次のラッチ信号を生成する。ラッチ回路はラッチ信号を用いて階調データＤｏｕｔをラッチする。これにより、シリアル形式の階調データＤｏｕｔがパラレル形式の階調データｄｒ１、ｄｇ１、ｄｂ１、ｄｒ２、ｄｇ２、ｄｂ２、…、ｄｒｎ、ｄｇｎ、およびｄｂｎに変換される。
【００２５】
基準電圧生成回路２２０は、電源電圧Ｖｄｄとグランドの間に１０２４個の抵抗器２２１が直列に接続されて構成される。この例では、各抵抗器２２１の抵抗値が等しくなるように設定されている。従って、抵抗器２２１の各接続点から取り出された１０２４個の基準電圧Ｖｒｅｆ０、Ｖｒｅｆ１、…、Ｖｒｅｆ１０２３はリニアな特性となる。なお、以下の説明において、１０２４個の基準電圧をまとめて説明する場合には、単に基準電圧Ｖｒｅｆと記載する。
【００２６】
各色セレクタ２３０には、１０２４個（１０ビット）の基準電圧Ｖｒｅｆと制御データＣＴＬが供給される。制御データＣＴＬは、１０２４個の基準電圧Ｖｒｅｆの中から、ＲＧＢ各色のＤＡ変換に用いる２５６個（８ビット）の基準電圧の組を指定する。以下の説明では、Ｒ色のＤＡ変換に用いる基準電圧の組をＶｒｅｆＲ、Ｇ色のＤＡ変換に用いる基準電圧の組をＶｒｅｆＧ、Ｂ色のＤＡ変換に用いる基準電圧の組をＶｒｅｆＢで表す。各色セレクタ２３０は、制御データＣＴＬに基づいて選択したＲ色の基準電圧の組ＶｒｅｆＲをＲ色配線群Ｌｒに出力し、Ｇ色の基準電圧の組ＶｒｅｆＧをＧ色配線群Ｌｇに出力し、Ｂ色の基準電圧の組ＶｒｅｆＢをＢ色配線群Ｌｂに出力する。
【００２７】
制御データＣＴＬに基づいてＲＧＢ各色の基準電圧の組ＶｒｅｆＲ、ＶｒｅｆＧ、ＶｒｅｆＢを選択することは、各種の駆動条件に柔軟に対応する点で重要である。本実施形態の制御回路３００は、駆動条件を示す条件データと制御データＣＴＬとを対応付けて記憶したルックアップテーブルを備え、これを参照して、制御データＣＴＬを生成している。なお、ルックアップテーブルの替わりに、あるいはルックアップテーブルと組み合わせて演算処理を実行する演算手段を制御回路３００に設け、これを用いて制御データＣＴＬを生成してもよい。
【００２８】
駆動条件の要素としては、各色ごとのＯＬＥＤ素子４２０の発光特性、電源電圧Ｖｄｄｒ、Ｖｄｄｇ、およびＶｄｄｂ、ガンマ値、ならびに各色ごとのピーク輝度等がある。条件データは、これらの要素を単独でもよいし、あるいは組み合わせたものであってもよい。  本実施形態のように電圧プログラム型の画素回路４００を採用する場合、図２に示す駆動電流Ｉoledは、トランジスタ４０１のゲート・ソース間電圧で定まるので、電源電圧Ｖｄｄｒが低下した場合には、電圧信号Ｖｄａｔａを低下させることが好ましい。制御回路３００は、電源電圧Ｖｄｄｒ、Ｖｄｄｇ、およびＶｄｄｂを計測して、計測結果を制御データＣＴＬに反映させる。これにより、電源電圧に変動があっても輝度特性を一定に保つことができる。また、駆動条件にガンマ値を含ませた場合には、ＲＧＢ各色ごとに異なるガンマ特性を付与することが可能となる。さらに、駆動条件のピーク輝度を含ませた場合には、ＲＧＢ各色ごとにＤＡ変換のダイナミックレンジを変更することが可能となる。
【００２９】
次に、Ｒ色に対応するｎ個のＤＡ変換器ＤＡＣｒ１、ＤＡＣｒ２、…ＤＡＣｒｎには配線群Ｌ１を介して基準電圧の組ＶｒｅｆＲが供給され、Ｇ色に対応するｎ個のＤＡ変換器ＤＡＣｇ１、ＤＡＣｇ２、…ＤＡＣｇｎには配線群Ｌ２を介して基準電圧の組ＶｒｅｆＧが供給され、Ｂ色に対応するｎ個のＤＡ変換器ＤＡＣｂ１、ＤＡＣｂ２、…ＤＡＣｂｎには配線群Ｌ３を介して基準電圧の組ＶｒｅｆＢが供給される。
【００３０】
ＤＡ変換器ＤＡＣｒ１〜ＤＡＣｒｎはＲ選択回路ＳＬＲとバッファＢＦとを備え、ＤＡ変換器ＤＡＣｇ１〜ＤＡＣｇｎはＧ選択回路ＳＬＧとバッファＢＦとを備え、ＤＡ変換器ＤＡＣｂ１〜ＤＡＣｂｎはＢ選択回路ＳＬＢとバッファＢＦとを備える。ＤＡ変換器ＤＡＣｒ１〜ＤＡＣｒｎのＲ選択回路ＳＬＲは、階調データｄｒ１〜ｄｒｎに基づいて基準電圧の組ＶｒｅｆＲの中から一つを選択して出力する。なお、Ｇ選択回路ＳＬＧは階調データｄｇ１〜ｄｇｎに基づいて基準電圧の組ＶｒｅｆＧの中から一つを選択して出力し、Ｂ選択回路ＳＬＢは階調データｄｂ１〜ｄｂｎに基づいて基準電圧の組ＶｒｅｆＢの中から一つを選択して出力する。
【００３１】
このように各色セレクタ２３０を用いて、１０ビットの基準電圧Ｖｒｅｆの中から各色ごとに８ビットの基準電圧の組ＶｒｅｆＲ、ＶｒｅｆＧ、およびＶｒｅｆＢを選択したので、配線群Ｌ１〜Ｌ３を構成する配線数（768＝256×3）が少ないにも関わらず、１０ビット分の分解能（1024）を得ることができる。また、各色セレクタ２３０は必要な電圧のみを選択して取り出すので、不要な電圧を省くための回路を特別に設ける必要もない。また、ガンマ特性を簡易に付与することができ、さらに、リアルタイムで変化するピーク輝度に応じたダイナミックレンジの設定も可能となる。
【００３２】
＜２．第１実施形態の変形例＞
（１）上述した実施形態においては、各ＤＡ変換器ＤＡＣｒ１〜ＤＡＣｂｎは、バッファＢＦを含んで構成したが、マルチプレクサを用いて、ＲＧＢ各色の電圧信号を時分割多重する場合は、データ線駆動回路２００を図４に示すように構成してもよい。図４に示すデータ線駆動回路２００において、各ＤＡ変換器ＤＡＣｒ１〜ＤＡＣｂｎは、バッファＢＦを含まない。そして、３個のＤＡ変換器の出力信号を選択するマルチプレクサＭＰＸがｎ個設けられている。マルチプレクサＭＰＸの出力信号はバッファＢＦを介してデマルチプレクサＤＭＰＸに供給される。マルチプレクサＭＰＸとデマルチプレクサＤＭＰＸは、制御回路３００から供給される制御信号（図示せず）に基づいて選択動作を実行する。バッファＢＦは容量性の負荷であるデータ線１０３を駆動する必要があるため、駆動能力の大きいトランジスタを用いて構成する必要があるが、この変形例によればバッファＢＦの個数を削減できる。また、その個数の低減に伴って消費電力を削減することができる。なお、バッファＢＦまでを外付けの回路とし、デマルチプレクサＤＭＰＸを電気光学パネルに形成することによって、電気光学パネルの端子数を低減することが可能となる。
【００３３】
（２）上述した実施形態または変形例において、バッファＢＦの前段にサンプル回路設けて、バッファＢＦの入力容量あるいは容量素子をバッファＢＦの入力に接続することによって、サンプルホールド回路を構成してもよい。
【００３４】
（３）また、出力段のバッファＢＦは省略してもよい。さらに、バッファＢＦからの出力信号とバッファＢＦを通さない出力信号とを選択回路を用いて選択して出力してもよい。この場合には、まず、バッファＢＦを用いて電圧信号をデータ線１０３に書き込み、その後、バッファＢＦを介することなく、直接、電圧信号をデータ線１０３に供給する。これにより、バッファＢＦのばらつきの影響を低減して、表示階調の精度を向上させることができる。さらに、上述した各色セレクタ２３０にバッファＢＦを内蔵してもよい。
【００３５】
＜３．第２実施形態＞
次に、第２実施形態に係る電気光学装置１について説明する。第２実施形態の電気光学装置１は、基準電圧生成回路２２０の詳細な構成を除いて、図１に示す第１実施形態の電気光学装置１と同様に構成されている。
図５に第２実施形態の基準電圧生成回路２２０の詳細な構成を示す。図５に示すように基準電圧生成回路２２０には、電源電圧Ｖｄｄとグランドのほかに、定電圧Ｖ０、Ｖ１、Ｖ２が供給される。これらの定電圧Ｖ０〜Ｖ２は、抵抗器２２１の間の接続点Ｐ０、Ｐ１、Ｐ２に接続される。グランドと接続点Ｐ０との間の抵抗器２２１の数と、接続点Ｐ０と接続点Ｐ１との間の抵抗器２２１の数、接続点Ｐ１と接続点Ｐ２との間の抵抗器２２１の数、接続点Ｐ２と電源Ｖｄｄとの間の抵抗器２２１の数は、互いに等しくなるように選定されている。また、Ｖ０−０＜Ｖ１−Ｖ０＜Ｖ２−Ｖ１＜Ｖｄｄ−Ｖ２となるように定電圧Ｖ０、Ｖ１、Ｖ２が選ばれている。
【００３６】
図６にデータ値と基準電圧の関係を示す。上述したように接続点Ｐ０〜Ｐ２、定電圧Ｖ０〜Ｖ２を選ぶことによって、データ値と基準電圧との関係は、定電圧Ｖ０、Ｖ１、Ｖ２を折れ点Ｑ０〜Ｑ２とする折れ線特性となる。換言すれば、抵抗器２２１の接続点のうち、折れ線特性の折れ点Ｑ０〜Ｑ２に対応する接続点Ｐ０〜Ｐ３の各々に異なる定電圧Ｖ０〜Ｖ３が供給される。これによって、低電圧側でのＡＤ変換の精度が向上し、高電圧側での精度が低下する。このように折れ線特性を持たせたのは、人の視覚特性は低電圧側、即ち、輝度の低い部分で視感度が高く、逆に、高電圧側、即ち、輝度の高い部分では視感度が低いからである。なお、この例では、各抵抗器２２１の抵抗値を互いに等しく設定したが、折れ線特性が得られるように抵抗器２２１の抵抗値を選定してもよい。この場合には、定電圧Ｖ０〜Ｖ２を供給する必要がなくなる。但し、定電圧Ｖ０〜Ｖ２を供給するとともに、抵抗器２２１抵抗値が異なるように設定してもよい。
【００３７】
＜４．第３実施形態＞
次に、第３実施形態に係る電気光学装置１について説明する。第３実施形態の電気光学装置１は、データ線駆動回路２００の詳細な構成を除いて、図１に示す第１実施形態の電気光学装置１と同様に構成されている。
図７に第３実施形態のデータ線駆動回路２２０の詳細な構成を示し、図８にデータ線駆動回路２００のタイミングチャートを示す。シリアルパラレル変換回路２１０は、ｎ個の階調データｄ１〜ｄｎを出力する。ここで、ｉ（１≦ｉ≦ｎ）番目の階調データｄｉは、図８に示すように第１実施形態で説明した階調データｄｒｉ、ｄｇｉ、およびｄｂｉを時分割多重したものである。以下の説明では、階調データｄｒｉ、ｄｇｉ、およびｄｂｉに対応する電圧信号をＶｒｉ、Ｖｇｉ、およびＶｂｉと称する。
【００３８】
ＤＡ変換器ＤＡＣ１〜ＤＡＣｎは、階調データｄ１〜ｄｎに各々対応して設けられている。各ＤＡ変換器ＤＡＣ１〜ＤＡＣｎには選択回路ＳＷが設けられ、選択回路ＳＷは、１つの配線群Ｌを介して供給される基準電圧の組の中から一つの基準電圧を選択する。各色セレクタ２３０は、図８に示すように階調データｄｉの時分割多重のタイミングと同期して複数の基準電圧Ｖｒｅｆの中から各色ごとの基準電圧の組ＶｒｅｆＲ、ＶｒｅｆＧ、ＶｒｅｆＢを選択して配線群Ｌに出力する。これによって、ＤＡ変換器ＤＡＣｉは、時分割多重された電圧信号Ｖｉを出力する。ＤＡ変換器ＤＡＣｉの後段に設けられた、デマルチプレクサＤＭＰＸは電圧信号Ｖｉを選択して電圧信号Ｖｒｉ、Ｖｇｉ、およびＶｂｉを各々出力する。
以上の構成によれば、単一の配線群Ｌを設ければよいので、構成を簡易にすることができる。また、各色セレクタ２３０にバッファを設ける場合には、消費電力を削減することが可能となる。
【００３９】
なお、上述した第３実施形態においては、ＲＧＢの電圧信号を時分割多重して１個の端子から出力したが、２組のＲＧＢの電圧信号を時分割多重して出力してもよい。この場合、ＤＡ変換器の出力の順序はＲＲＧＧＢＢとすることが好ましい。このように、同色を２回連続させることによって、各色セレクタ２３０の選択回数を低減することができる。この結果、電源電圧Ｖｄｄのゆれを抑制するとともに消費電力を削減することが可能となる。また、仮に、ＲＧＢ各色のうち、同じ基準電圧を出力する配線については、各色セレクタ２３０から出力される電圧は一定になるので、ＲＧＢの組み合わせに関係なく１端子から出力するようにしてもよい。
【００４０】
また、上述した第１乃至第３実施形態は、電圧プログラム形式の画素回路４００を前提として、データ線１０３には電圧信号を供給したが、バッファＢＦの替わりに電圧を電流に変換するＶ／Ｉ回路を配置して、電圧信号を電流信号に変換してデータ線１０３に供給してもよい。この場合には、画素回路として電流プログラム形式のものを用いればよい。
さらに、上述した実施形態は、電気光学物質として、有機ＥＬ（ElectroLuminescent）で構成されたＯＬＥＤ素子４２０を備えた電気光学装置を例示したが、有機ＥＬ以外の電気光学物質を用いた電気光学パネルにも本発明は適用される。電気光学物質とは、電気信号（電流信号または電圧信号）の供給によって透過率や輝度といった光学的特性が変化する物質である。例えば、液晶や発光ポリマーなどを電気光学物質として用いた表示パネルや、着色された液体と当該液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいはヘリウムやネオンなどの高圧ガスを電気光学物質として用いたプラズマディスプレイパネルなど各種の電気光学パネルに対しても上述した各実施形態と同様に本発明が適用され得る。
【００４１】
＜５．電子機器＞
次に、上述した第１乃至第３実施形態及び変形例に係る電気光学装置１を適用した電子機器について説明する。図９に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はＯＬＥＤ素子４２０を用いるので、視野角が広く見易い画面を表示できる。
【００４２】
図１０に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
図１１に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００４３】
なお、電気光学装置１が適用される電子機器としては、図９〜図１１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【図面の簡単な説明】
【００４４】
【図１】本発明の第１実施形態に係る電気光学装置の構成を示すブロック図である。
【図２】同装置における画素回路の構成を示す回路図である。
【図３】同装置におけるデータ線駆動回路の構成を示すブロック図である。
【図４】第１実施形態の変形例に係るデータ線駆動回路の構成を示すブロック図である。
【図５】本発明の第２実施形態に用いる基準電圧生成回路２２０の回路図である。
【図６】同回路によって生成される基準電圧とデータ値の関係を示すグラフである
【図７】第３実施形態のデータ線駆動回路の構成を示すブロック図である。
【図８】同回路の動作を示すタイミングチャートである。
【図９】同電気光学装置を適用したモバイル型のパーソナルコンピュータの構成を示す斜視図である。
【図１０】同電気光学装置を適用した携帯電話機の構成を示す斜視図である。
【図１１】同電気光学装置を適用した携帯情報端末の構成を示す斜視図である。
【符号の説明】
【００４５】
１…電気光学装置、１０１…走査線、１０３…データ線、２００…データ線駆動回路、２２０…基準電圧生成回路、２２１…抵抗器、２３０…各色セレクタ、ＳＬＲ…Ｒ選択回路、ＳＬＧ…Ｇ選択回路、ＳＬＢ…Ｂ選択回路、ＳＷ…選択回路、Ｄｏｕｔ…階調データ、Ｖｒｅｆ０〜Ｖｒｅｆ１０２３…基準電圧、ＶｒｅｆＲ，ＶｒｅｆＧ，ＶｒｅｆＢ…基準電圧の組、Ｖ０，Ｖ１，Ｖ２…定電圧。
【図１】
2005338158.tif 000003
【図２】
2005338158.tif 000004
【図３】
2005338158.tif 000005
【図４】
2005338158.tif 000006
【図５】
2005338158.tif 000007
【図６】
2005338158.tif 000008
【図７】
2005338158.tif 000009
【図８】
2005338158.tif 000010
【図９】
2005338158.tif 000011
【図１０】
2005338158.tif 000012
【図１１】
2005338158.tif 000013